(57)【要約】      （修正有）【課題】細径のジェルアイライナー用の棒状化粧料を用いることが可能であり、製造コストを抑えることが可能な棒状化粧料繰出容器を提供する。【解決手段】両端が開口された先筒と、先筒と係合可能な容器本体を具備する。先筒は、棒状化粧料を収容する収容部と、収容部内に密着し摺動する押出部を備える。容器本体は、外周に雄螺子を設ける移動体と、雌螺子を有し先筒と同期回転可能な雌螺子部材と、雌螺子部材と係合するバネ部材とを備える。移動体に連動して押出部が摺動することにより、棒状化粧料が先筒先端の開口から外部へ押し出される。【選択図】図１
0003174125.tif 000002
【実用新案登録請求の範囲】
【請求項１】
両端が開口されており化粧料を収容する収容部を有する先筒と、本体筒と回転止めとで構成され該先筒と係合可能な容器本体と、を具備し、該先筒の該収容部に収容されるジェルアイライナー用の棒状化粧料と、外周に雄螺子を設け該容器本体内に配置される移動体と、該移動体の該雄螺子と螺合結合する雌螺子を有し該先筒と同期回転可能な該容器本体内に位置する雌螺子部材と、バネ部材を有し該容器本体と同期回転可能であり該容器本体内に位置して該雌螺子部材と係合するバネ部材と、を備える棒状化粧料繰出容器であって、
前記先筒には、前記収容部内に密着し摺動する押出部を更に備え、
前記移動体を前記先筒及び前記容器本体内を摺動させるための摺動操作が行われることにより摺動する該移動体に連動して前記押出部が前記収容部内を摺動することにより前記棒状化粧料が該先筒先端の開口より外部へ押し出され、
前記棒状化粧料は、硬度が０．１〜２（Ｎ）及び直径がφ３以下であることを特徴とする棒状化粧料繰出容器。
【請求項２】
前記棒状化粧料の硬度が０．１５〜１．５（Ｎ）である、請求項１に記載の棒状化粧料繰出容器。
【請求項３】
前記本体筒と前記回転止めとを同期回転可能に嵌合することで前記容器本体を形成すると共に前記先筒と該容器本体とを相対回転可能に嵌合し、該先筒と該容器本体とが相対回転することで前記摺動操作とされる、ことを特徴とする請求項１又は２に記載の棒状化粧料繰出容器。
【請求項４】
前記本体筒と前記回転止めとを相対回転可能に嵌合することで前記容器本体を形成すると共に前記先筒と該本体筒とを同期回転可能に嵌合し、該先筒と該本体筒に対して該回転止めが相対回転することで前記摺動操作とされる、ことを特徴とする請求項１又は２に記載の棒状化粧料繰出容器。
【請求項５】
請求項１〜４に記載の棒状化粧料繰出容器と、前記棒状化粧料と、を備える、化粧品。
【考案の詳細な説明】
【技術分野】
【０００１】
本考案は、ジェルアイライナー用の棒状化粧料を用いた棒状化粧料繰出容器及び化粧品に関する。
【背景技術】
【０００２】
アイメイクに用いられるアイライナー用化粧品としては、従来から棒状化粧料を使用するペンシルタイプの化粧品が知られている。このペンシルタイプの化粧品は繰出容器に棒状化粧料を収容して使用することが可能であるので携帯性に優れている点が利点として上げられる。
【０００３】
また、近年ではアイメイクの多様化に伴いアイラインを細く描ける化粧品が所望されてきており、アイラインを筆やコーム等で細く描くことが可能なジェルタイプのアイライナー用化粧品の需要が高まってきている。
【０００４】
このジェルタイプのアイライナー用化粧品の場合、細く描けるという利点以外にも、ユーザの皮膚に塗布する際には滑らかな使用感をユーザに与えると共に塗布した化粧料を塗り広げることも可能であり、棒状化粧料とは違った使用感や仕上がりの化粧を施すことが可能となっている。
【０００５】
しかし、ジェルタイプの化粧品の場合、ジャー容器等の収容容器に化粧料を収容し、筆やコーム等の塗布具で化粧料をユーザに塗布することになるので、収容容器と塗布具が別体となっており、ペンシルタイプの化粧品ほど携帯性は優れていなかった。
【０００６】
下記特許文献１には、棒状化粧料等の棒状体を繰り出す繰出容器が開示されている。
【先行技術文献】
【特許文献】
【０００７】
【特許文献１】特開２００６−３０５３１８号公報
【考案の概要】
【考案が解決しようとする課題】
【０００８】
ところで、ペンシルタイプに用いられる棒状化粧料では、化粧料を棒状芯の形態に維持するためにある程度の硬度が必要である。例えば、直径φ３前後の細径の棒状芯の硬度としては１．５（Ｎ）以上の硬度の棒状芯が使用されるのが一般的であり、広くは２（Ｎ）前後の硬度の棒状芯が使用されている。
【０００９】
また、ジェルタイプに用いられる化粧料は、その滑らかな使用感や塗布した後の化粧料の伸びを実現させる為に硬度としては０．１〜０．３（Ｎ）とされるのが一般的である。
【００１０】
このように、ジェルタイプに用いられる化粧料の硬度では棒状芯の形態に成形するには軟らかすぎてジェルタイプの化粧料をペンシルタイプの化粧品としては使用されてこなかった。
【００１１】
また、ペンシルタイプの化粧品を製造する際、従来は化粧料を容器に充填又は装填する際に失敗した場合には容器の構造上容器全部が使用不可となり破棄することになり、失敗した場合にかかるコストを抑えることが可能な容器が望まれていた。
【００１２】
そこで、本考案はジェルタイプの化粧料をペンシルタイプの化粧品に用いることを可能とすると共に化粧料の充填又は装填に失敗した場合でも製造コストを抑えることが可能な棒状化粧料繰出容器及び化粧品を提供することを目的とする。
【課題を解決するための手段】
【００１３】
本考案の棒状化粧料繰出容器としては、両端が開口されており化粧料を収容する収容部を有する先筒と、本体筒と回転止めとで構成され先筒と係合可能な容器本体と、を具備し、先筒の収容部に収容されるジェルアイライナー用の棒状化粧料と、外周に雄螺子を設け容器本体内に配置される移動体と、移動体の雄螺子と螺合結合する雌螺子を有し先筒と同期回転可能な容器本体内に位置する雌螺子部材と、バネ部材を有し容器本体と同期回転可能であり容器本体内に位置して雌螺子部材と係合するバネ部材と、を備える棒状化粧料繰出容器であって、先筒には、収容部内に密着し摺動する押出部を更に備え、移動体を先筒及び容器本体内を摺動させるための摺動操作が行われることにより摺動する移動体に連動して押出部が収容部内を摺動することにより棒状化粧料が先筒先端の開口より外部へ押し出され、棒状化粧料は、硬度が０．１〜２（Ｎ）及び直径がφ３以下であることを特徴としている。
【００１４】
また、棒状化粧料の硬度が０．１５〜１．５（Ｎ）であることを特徴としている。
【００１５】
また、本体筒と回転止めとを同期回転可能に嵌合することで容器本体を形成すると共に先筒と容器本体とを相対回転可能に嵌合し、先筒と容器本体とが相対回転することで摺動操作とされる、ことを特徴としている。
【００１６】
また、本体筒と回転止めとを相対回転可能に嵌合することで容器本体を形成すると共に先筒と本体筒とを同期回転可能に嵌合し、先筒と本体筒に対して回転止めが相対回転することで摺動操作とされる、ことを特徴としている。
【００１７】
また、本考案の化粧品としては、棒状化粧料繰出容器と、棒状化粧料と、を備えていることを特徴としている。
【００１８】
本考案をこのような構成とすることで、ジェルタイプの化粧料をその利点を生かしつつ、細径の棒状化粧料として使用可能な棒状化粧料繰出容器となる。
【考案の効果】
【００１９】
本考案の棒状化粧料繰出容器及び化粧品は、ジェルアイライナー用の棒状化粧料として硬度が０．１〜２（Ｎ）でありその直径をφ３以下の細径としており、これにより、携帯性に優れ、滑らかな使用感で塗布後の化粧料を塗り広げることが可能となる。
また、先筒に押出部を設けることで、棒状化粧料の充填時又は装填時に不良品等が出てきても、先筒のみを交換するだけで済むので製造コストを抑えることができる。
また、本考案の棒状化粧料繰出容器において、押出部と移動体を別部材として設けると共にバネ部材を設けることで、棒状化粧料を充填又は装填した後に移動体を押出部に装着する際、棒状化粧料を容器内で押し上げてしまう不具合を防止することができる。
【図面の簡単な説明】
【００２０】
【図１】本考案の棒状化粧料繰出容器の初期状態を示す縦断面図である。
【図２】図１に示す状態からキャップが取り外され、使用者により移動体及び押出部が前進したときの縦断面図である。
【図３】図１に示す状態からキャップが取り外され、容器本体と先筒が係合する前の状態の縦断面図である。
【図４】図１〜図３中の先筒と押出部を示す斜視図である。
【図５】図１〜図３中の本体筒と回転止めとが分離したときの容器本体を示す斜視図である。
【図６】図１〜図３中の移動体を示す斜視図である。
【図７】図１〜図３中の雌螺子部材とバネ部材とを示す斜視図である。
【図８】図１中のキャップと中蓋を示す斜視図である。
【図９】本考案の棒状化粧料繰出容器の変形例を示す縦断面図である。
【図１０】本考案の変形例であり、チップを備えた棒状化粧料繰出容器を示す縦断面図である。
【考案を実施するための形態】
【００２１】
以下、添付図面を参照して、本考案の実施形態について詳細に説明する。なお、同一又は相当要素には同一符号を付して重複する説明は省略する。
【００２２】
図１〜図３は、本考案の実施形態に係る棒状化粧料繰出容器の各状態を示す各縦断面図、図４は先筒と押出部の斜視図、図５は容器本体を構成する本体筒と回転止めの斜視図、図６は移動体の斜視図、図７はバネ部材と雌螺子部材の斜視図、図８はキャップと中蓋の斜視図、図９は本考案の棒状化粧料繰出容器の変形例の縦断面図、図１０は本考案の変形例でありチップを備えた棒状化粧料繰出容器の縦断面図である。
なお、本考案の棒状化粧料繰出容器は、ジェルアイライナー用の棒状化粧料を収容すると共に適宜使用者の操作により繰出可能とされている。
【００２３】
図１〜図３に示すように、棒状化粧料繰出容器１００は、両端が開口された筒状の先筒１と、その前部に先筒１の後部を挿入してこの先筒１を着脱可能とすると共に相対回転可能に係合する容器本体２と、を外形構成として具備している。
【００２４】
なお、本考案においては、先筒１が交換可能として説明していくが、この先筒１が交換不可、つまり先筒１が容器本体２に係合した後は軸線方向移動不可としてもよい。
【００２５】
本実施形態の棒状化粧料繰出容器１００では、先筒１は容器本体２との相対回転時には軸線方向に離脱しない程度に容器本体２と係合されており、先筒１の交換時に軸線方向にある程度の力を加えると先筒１を引き抜くことが可能となっている。
【００２６】
そして、この棒状化粧料繰出容器１００は、内部に、先筒１に収容される棒状の化粧料６と、その先筒１内に密着し内部を摺動可能な押出部５と、先筒１と同期回転可能に先筒１に挿入される雌螺子部材４ｂと、容器本体２と同期回転可能に容器本体２内に挿入され、雌螺子部材４ｂとクリック係合するバネ部材４ａと、雌螺子部材４ｂと螺合可能であり先筒１と容器本体２とが相対回転することにより前進し所定の前進限まで進むと前進が停止する移動体３と、容器本体２を構成する、その前部に先筒１を挿入すると共にバネ部材４ａと雌螺子部材４ｂとを備える本体筒２ａ及び本体筒２ａと軸線方向移動不可且つ同期回転可能に嵌合すると共に移動体３が同期回転可能に挿入されている回転止め２ｂ、を概略備えている。
【００２７】
なお、移動体３を前進する方向へ進ませる為に行う摺動操作である先筒１と容器本体２との相対回転の方向を、以降、繰出方向として説明していく。
【００２８】
先筒１は、図１〜図４に示すように、両端が開口した筒状であり、その前部は先端に備えられる先端開口部１ｃに向かって先細り形状となる外観を有している。そして、本実施形態の先筒１の後部の外周には、先筒１が容器本体２の本体筒２ａと着脱可能且つ相対回転可能に係合する為の凹部１ｂが備えられており、この後部が本体筒２ａ内に挿入されることになる。
さらに、先筒１の前部内部には、棒状の化粧料６を収容する収容部１ａが設けられており、この収容部１ａ内に密着して摺動可能な押出部５が備えられる。そして、先筒１の後部内部には、雌螺子部材４ｂが挿入され、この雌螺子部材４ｂと同期回転可能に係合するための軸線方向に延びる突条１ｄが備えられている。
【００２９】
押出部５は、図４に示すように円筒状をなし、収容部１ａ内に密着して備えられることで移動体３が繰出方向に移動するとこの移動体３の動きと連動して収容部１ａ内の化粧料６を先筒１の開口部１ｃより繰り出す役割を担っている。
【００３０】
また、本考案の棒状化粧料繰出容器１００では、この押出部５を収容部１ａ内に備えさえすれば、化粧料６を先筒１の収容部１ａ内への充填又は装填作業を行うことが可能となる。つまり、従来の棒状化粧料繰出容器の製造工程では化粧料６の充填又は装填に失敗した場合は棒状化粧料繰出容器全てが使用不可となってしまっていたが、本考案の棒状化粧料繰出容器１００では、化粧料６の充填又は装填に失敗した場合でも先筒１と押出部５だけを交換すればよい構成となっている。
【００３１】
容器本体２は、図１〜図３及び図５に示すように、本体筒２ａと回転止め２ｂとから構成されており、この本体筒２ａの後端側から回転止め２ｂが挿入され、回転止め２ｂは本体筒２ａに対して軸線方向移動不可且つ同期回転可能に嵌合される。
そして、この容器本体２内に、移動体３とバネ部材４ａと雌螺子部材４ｂとが備えられることになる。
【００３２】
本体筒２ａは、両端が開口した円筒状であり、その前部には先筒１の後部が挿入され、本体筒２ａの後部には回転止め２ｂが挿入される。そして、本実施形態の本体筒２ａの前部の内周面には先筒１が着脱可能且つ相対回転可能に係合される為に先筒１の凹部１ｂと係合可能な凸部２ａａが備えられている。さらに、先筒１の前部の内周面には、バネ部材４ａを同期回転可能に係合する為の軸線方向に延びる突条２ａｄが備えられている。また、本体筒２ａの後部の内周面には回転止め２ｂを軸線方向移動不可に嵌合する為の嵌合突起２ａｂ及びこの回転止め２ｂを同期回転可能に係合する為の軸線方向に延びる突条２ａｃが備えられている。
【００３３】
また、回転止め２ｂは、その外周面に本体筒２ａの嵌合突起２ａｂと嵌合する為の周方向に沿って形成される嵌合溝２ｂａと、本体筒２ａの突条２ａｃと係合する軸線方向に延びる突条２ｂｂとを備えている。さらに、回転止め２ｂの内周面には、移動体３の後部が挿入され、この移動体３を同期回転可能且つ軸線方向移動可能に係合するための回転止め溝２ｂｃが内周面全長にわたって備えられている。
【００３４】
移動体３は、図１〜図３及び図６に示すように棒状をなし、その外周には雌螺子部材４ｂとの螺合結合を可能とする雄螺子３ａを備えている。また、移動体３の後端には移動体３を回転止め２ｂ内に挿入した際に回転止め溝２ｂｃと軸線方向摺動可能且つ周方向回転不可に係合する為の回転止め突起３ｂを備えている。また、移動体３の前端には先端３ｃが備えられており先筒１内に備えられる押出部５と当接する事になる。
【００３５】
このような構成の移動体３は、雌螺子部材４ｂと螺合結合している状態で容器本体２内に配置される。その際、移動体３の後部は回転止め２ｂ内に挿入されて回転止め突起３ｂと回転止め溝２ｂｃが係合することになる。
【００３６】
バネ部材４ａは、図１〜図３及び図７に示すように両端が開口している筒状をなし、軸線方向に収縮して衝撃を吸収する弾性のある螺旋状のバネ部４ａａが形成されると共にバネ部材４ａの一方の端から軸線方向外側に突き出すように複数のクリック突起４ａｂが形成されている。このクリック突起４ａｂの形状としては図７に示すように、片側へ傾斜している傾斜面と垂直に軸線方向へ延びる面とを有する三角形状をしている。そして、このクリック突起４ａｂは雌螺子部材４ｂとのクリック係合を可能としている。
さらに、このバネ部材４ａの外周面にはバネ部４ａａを軸線方向に挟んで外周面軸線方向に延びる突条４ａｃが形成されており、この突条４ａｃが容器本体２の本体筒２ａ内周面に備えられる突条２ａｄと係合することによってバネ部材４ａは容器本体筒２ａと同期回転可能となる。
【００３７】
雌螺子部材４ｂは、図１〜図３及び図７に示すように、容器本体筒２ａ内に配置され、先筒１内に挿入されるものであって、その内周に移動体３の雄螺子３ａと螺合する雌螺子４ｂｂを備えている。そして外周面には軸線方向に延びる突条４ｂｃが備えられており、この突条４ｂｃと先筒１の突条１ｃとが係合することで先筒１と雌螺子部材４ｂは同期回転可能となる。また、雌螺子部材４ｂの後端には、先筒１に挿入された際に先筒１の後端が当接する段部４ｂｄが形成されると共にバネ部材４ａのクリック突起４ａｂとクリック係合可能なクリック孔４ｂａが形成される。
【００３８】
上述したバネ部材４ａと雌螺子部材４ｂはクリック係合しており、バネ部材４ａと雌螺子部材４ｂの内側に移動体３が雌螺子部材４ｂと螺合結合された状態で容器本体２内に配置されることになる。その際、バネ部材４ａはクリック突起４ａｂが形成されているのとは反対側の端が回転止め２ｂの端と当接する。そして、図３に示すように本体筒２ａに先筒１が挿入される前の状態では、バネ部材４ａと雌螺子部材４ｂは同期回転可能とされており、また、バネ部材４ａ、雌螺子部材４ｂは、図３の右方向の軸線方向へ移動可能となっている。その後、本体筒２ａに先筒１が挿入されると、先筒１と雌螺子部材４ｂとが同期回転可能に係合すると共に先筒１の開口部１ｃが形成されているのとは反対側の端が雌螺子部材４ｂの段部４ｂｄと当接するので、バネ部材４ａと雌螺子部材４ｂは容器本体２内にバネ部材４ａのバネ部４ａａの収縮範囲内でのみ軸線方向への移動が可能に備えられる。
【００３９】
そしてバネ部材４ａと雌螺子部材４ｂは、使用者が先筒１と容器本体２とを繰出方向へ相対回転することで繰出方向に相対回転し、クリック突起４ａｂとクリック孔４ｂａとのクリック係合が係合解除と係合復帰を繰り返し「カチカチ」というクリック音を発すると共にクリック感を使用者に与えることになる。
また、本実施形態のクリック突起４ａｂの形状では、バネ部材４ａと雌螺子部材４ｂを繰出方向とは逆の方向への相対回転は不可能となっている。
【００４０】
なお、クリック突起４ａｂの形状は、図７に示したような形状以外にも例えば傾斜面が左右対称に形成される山形の形状とすることも可能であり、この山形形状を採用した場合、バネ部材４ａと雌螺子部材４ｂを繰出方向とは反対方向の相対回転も可能となる。
【００４１】
ここで、棒状化粧料繰出容器１００の組み付け工程について説明する。まず本体筒２ａの後端側から回転止め２ｂを挿入して、本体筒２ａに対して軸線方向移動不可且つ同期回転可能に回転止め２ｂを嵌合し容器本体２を形成する。次いで、クリック係合させたバネ部材４ａと雌螺子部材４ｂの内側に移動体３を挿入し雌螺子部材４ｂと螺合結合させて、このバネ部材４ａと雌螺子部材４ｂと移動体３を容器本体２内に配置する。そして、押出部５を挿入した先筒１へ化粧料６を充填又は装填し、その後、この化粧料６と押出部５を収容した先筒１を容器本体２へ挿入することで、化粧料６を繰出可能な棒状化粧料繰出容器１００となる。
【００４２】
また、本考案の棒状化粧料繰出容器１００では、図１、図８に示すように先筒１に収容される化粧料６を密閉する為のキャップ７が先筒１の前部に装着される。更に、このキャップ７の内部には先筒１の先端を覆うように装着される中蓋７ａが設けられており、これにより化粧料６を一層密閉状態に保つことが可能となる。
【００４３】
なお、本実施形態の棒状化粧料繰出容器１００では、キャップ７と中蓋７ａが別部材となっているが、この中蓋７ａに相当する構成をキャップ７に形成してもよい。
【００４４】
このような構成の棒状化粧料繰出容器１００は、使用者が先筒１と容器本体２とを繰出方向に相対回転させることによりバネ部材４ａと雌螺子部材４ｂが相対回転し、雌螺子部材４ｂの雌螺子４ｂｂと移動体３の雄螺子３ａとが螺合結合していることによって移動体３が繰出方向（図１における右方向）に移動する。この際、移動体３の回転止め突起３ｂは回転止め２ｂの回転止め溝２ｂｃと周方向回転不可となるように係合しているので、移動体３と回転止め２ｂは同期回転することになる。
つまり、先筒１と容器本体２を繰出方向に相対回転させることで、先筒１と雌螺子部材４ｂが同期回転し、容器本体２とバネ部材４ａと移動体３とが同期回転して移動体３が繰出方向に移動することになる。
そして、移動体３の先端３ｃが押出部５と当接している事から、移動体３の繰出方向への移動に伴って押出部５も移動し、これにより化粧料６は図２に示すように先筒１の開口部１ｃより繰り出されることになる。
【００４５】
また、移動体３の繰出方向への移動が更に行われると、雌螺子４ｂｂと雄螺子３ａとの螺合が解除され移動体３の繰出限となる。ただ、螺合が解除されてもバネ部材４ａがバネ部４ａａの弾性力によって雌螺子部材４ｂを軸線方向に押し上げてすぐさま雌螺子４ｂｂと雄螺子３ａとが螺合復帰することになる。
【００４６】
また、例えば、化粧料６を使い終わった後に先筒１を新しく交換する際は、容器本体２から先筒１を抜いた後、雌螺子部材４ｂと移動体３を繰出方向とは逆方向へ相対回転させて図１、図３に示すような初期位置へ移動体３を戻してから、新しい先筒１を容器本体２へ挿入すればよい。
【００４７】
また、先筒１を容器本体２に組み付ける際に先筒１内に収容されている化粧料６の量が多かった場合、そのまま先筒１を挿入すると移動体３が押出部５を押して化粧料６が開口部１ｃより外へ飛び出してしまう可能性もある。しかし、本考案の移動体３は雌螺子部材４ｂと螺合しており移動体３が押出部５を押す力を雌螺子部材４ｂと係合しているバネ部材４ａのバネ部４ａａが収縮することで吸収され、化粧料６が開口部１ｃより飛び出すのを防止している。
【００４８】
ここで、本考案の棒状化粧料繰出容器１００に用いられる化粧料６としては、アイライナーに用いられるジェル状の棒状化粧料である。この棒状化粧料としての化粧料６は棒状物の針入度試験の測定硬度が０．１〜２（Ｎ）であり、その直径はφ３（３mm）以下である。
【００４９】
なお、更に好ましくは硬度を０．１５〜１．５（Ｎ）としてもよい。
【００５０】
また、本考案の棒状化粧料繰出容器１００に用いられる化粧料６の硬度は、株式会社レオテック社「FUDOHレオメータ」を使用して測定された硬度である。その測定方法としては、測定温度２５℃条件下において、１mmφの円柱のアプリケータを進入速度６cm/minの速度で棒状化粧料である化粧料６に深さ１０mm挿入したときにこの棒状化粧料の化粧料６に生じるピーク値を測定している。このような測定方法は化粧品において硬度を計るために使用される一般的な測定方法である。
【００５１】
上記のように本考案は、硬度がジェルアイライナーとしての軟らかさを十分に保持している０．１〜２（Ｎ）であり、その芯径がφ３以下の細径の棒状化粧料を化粧料６として用いることができ、携帯性に優れ、滑らかな使用感と塗布した後に塗り広げることが可能となっている。
また、先筒１に押出部５を設けることで、化粧料６の充填時又は装填時に不良品等が出てきても、従来のように棒状化粧料繰出容器１００全てを破棄する必要がなく、先筒１と押出部５のみを交換するだけで済むので製造コストを抑えることができる。
また、本考案の棒状化粧料繰出容器１００において、押出部５と移動体３を別部材として設けると共にバネ部材４ａを設けることで、化粧料６を充填又は装填した後に先筒１を容器本体２に挿入し移動体３の先端３ｃが押出部５に当接される際、化粧料６を先筒１内で押し上げて、開口部１ｃから化粧料６が飛び出してしまう不具合を防止することができる。
【００５２】
以上、本考案をその実施形態に基づき具体的に説明したが、本考案は上記実施形態に限定されるものではない。
【００５３】
図９に示す棒状化粧料繰出容器２００は、上記実施形態の棒状化粧料繰出容器１００の変形例である。
上記実施形態の棒状化粧料繰出容器１００との違いとしては、先筒１と本体筒２ａとが同期回転可能に係合し、容器本体２を構成する本体筒２ａと回転止め２ｂとが相対回転可能に係合している点にある。つまり、図示する棒状化粧料繰出容器２００においては、先筒２と本体筒２ａに対して回転止め２ｂが相対回転することによって移動体３が繰出方向へ移動し、この移動体３の移動に伴って押出部５も移動することで化粧料６が先筒１の開口部１ｃより繰り出されることになる。
【００５４】
このような棒状化粧料繰出容器２００の構成としては、上記実施形態の棒状化粧料繰出容器１００の構成と比べ、先筒２の本体筒２ａ内に挿入される後部の外周軸線方向に本体筒２ａとの同期回転を可能とする突条（図示せず）を備え、本体筒２ａ前部の内周面軸線方向にも先筒２後部の外周面に備えられる突条と係合するための突条（図示せず）が備えられることになる。
なお、先筒２と本体筒２ａが同期回転可能に動作する構成であれば、上記のような突条の変わりに同様の効果を得られる別の構成としてもよい。
【００５５】
さらに、棒状化粧料繰出容器２００の構成としては、上記実施形態の棒状化粧料繰出容器１００の構成と比べ、本体筒２ａ後部の内周面に突条２ａｃは備えられておらず、回転止め２ｂの外周面には突条２ｂｂが備えられていない。また、回転止め２ｂは、図示するように、棒状化粧料繰出容器１００の回転止め２ｂと比べその後部が軸線方向に突出している形状となっており、回転止め２ｂを把持しやすくする為にこのような形状としている。
【００５６】
また、上述したように、先筒２と本体筒２ａに対して回転止め２ｂが相対回転する構成となることからバネ部材４ａと雌螺子部材４ｂもクリック係合したまま同期回転することになる。
【００５７】
このような構成の棒状化粧料繰出容器２００は、その他の構成は棒状化粧料繰出容器１００と同様であるので、故に、奏する効果も同じである。
【００５８】
図１０に示す棒状化粧料繰出容器３００は、本考案の棒状化粧料繰出容器１００又は棒状化粧料繰出容器２００の変形例である。
棒状化粧料繰出容器１００又は棒状化粧料繰出容器２００との違いとしては、容器本体２の回転止め２ｂの後端側に把持部９が備えられており、この把持部９はチップ８を把持する為に備えられるものである。また、このチップ８は、対象に塗布した化粧料６をぼかしたり、広げたりするために使用される。
その他の構成としては棒状化粧料繰出容器１００又は棒状化粧料繰出容器２００と同様であり、故に、奏する効果も同じである。
なお、図１０に示す図は、例として棒状化粧料繰出容器１００に把持部９とチップ８を追加した構成を示している。
【符号の説明】
【００５９】
1 先筒、1a 収容部、1b 凹部、1c 先端開口部、1d,2ac,2ab,2bb,4ac,4bc 突条、2 容器本体、2a 本体筒、2aa 凸部、2ab 嵌合突起、2b 回転止め、2ba
嵌合溝、2bc 回転止め溝、3 移動体、3a 雄螺子、3b   回転止め突起、3c
先端、4a バネ部材、4aa バネ部、4ab クリック突起、4b 雌螺子部材、4ba
クリック孔、4bb 雌螺子、4bd 段部、5 押出部、6 化粧料、7 キャップ、7a 中蓋、8 チップ、9 把持部、100,200,300 棒状化粧料繰出容器
【図１】
0003174125.tif 000003
【図２】
0003174125.tif 000004
【図３】
0003174125.tif 000005
【図４】
0003174125.tif 000006
【図５】
0003174125.tif 000007
【図６】
0003174125.tif 000008
【図７】
0003174125.tif 000009
【図８】
0003174125.tif 000010
【図９】
0003174125.tif 000011
【図１０】
0003174125.tif 000012
【手続補正書】
【提出日】平成23年12月22日(2011.12.22)
【手続補正１】
【補正対象書類名】実用新案登録請求の範囲
【補正対象項目名】全文
【補正方法】変更
【補正の内容】
【実用新案登録請求の範囲】
【請求項１】
両端が開口されており化粧料を収容する収容部を有する先筒と、本体筒と回転止めとで構成され該先筒と係合可能な容器本体と、を具備し、該先筒の該収容部に収容されるジェルアイライナー用の棒状化粧料と、外周に雄螺子を設け該容器本体内に配置される移動体と、該移動体の該雄螺子と螺合結合する雌螺子を有し該先筒と同期回転可能な該容器本体内に位置する雌螺子部材と、バネ部を有し該容器本体と同期回転可能であり該容器本体内に位置して該雌螺子部材と係合するバネ部材と、を備える棒状化粧料繰出容器であって、
前記先筒には、前記収容部内に密着し摺動する押出部を更に備え、
前記移動体を前記先筒及び前記容器本体内を摺動させるための摺動操作が行われることにより摺動する該移動体に連動して前記押出部が前記収容部内を摺動することにより前記棒状化粧料が該先筒先端の開口より外部へ押し出され、
前記棒状化粧料は、硬度が０．１〜２（Ｎ）及び直径がφ３以下であることを特徴とする棒状化粧料繰出容器。
【請求項２】
前記棒状化粧料の硬度が０．１５〜１．５（Ｎ）である、請求項１に記載の棒状化粧料繰出容器。
【請求項３】
前記本体筒と前記回転止めとを同期回転可能に嵌合することで前記容器本体を形成すると共に前記先筒と該容器本体とを相対回転可能に嵌合し、該先筒と該容器本体とが相対回転することで前記摺動操作とされる、ことを特徴とする請求項１又は２に記載の棒状化粧料繰出容器。
【請求項４】
前記本体筒と前記回転止めとを相対回転可能に嵌合することで前記容器本体を形成すると共に前記先筒と該本体筒とを同期回転可能に嵌合し、該先筒と該本体筒に対して該回転止めが相対回転することで前記摺動操作とされる、ことを特徴とする請求項１又は２に記載の棒状化粧料繰出容器。
【請求項５】
請求項１〜４に記載の棒状化粧料繰出容器と、前記棒状化粧料と、を備える、化粧品。
【手続補正２】
【補正対象書類名】明細書
【補正対象項目名】００１３
【補正方法】変更
【補正の内容】
【００１３】
本考案の棒状化粧料繰出容器としては、両端が開口されており化粧料を収容する収容部を有する先筒と、本体筒と回転止めとで構成され先筒と係合可能な容器本体と、を具備し、先筒の収容部に収容されるジェルアイライナー用の棒状化粧料と、外周に雄螺子を設け容器本体内に配置される移動体と、移動体の雄螺子と螺合結合する雌螺子を有し先筒と同期回転可能な容器本体内に位置する雌螺子部材と、バネ部を有し容器本体と同期回転可能であり容器本体内に位置して雌螺子部材と係合するバネ部材と、を備える棒状化粧料繰出容器であって、先筒には、収容部内に密着し摺動する押出部を更に備え、移動体を先筒及び容器本体内を摺動させるための摺動操作が行われることにより摺動する移動体に連動して押出部が収容部内を摺動することにより棒状化粧料が先筒先端の開口より外部へ押し出され、棒状化粧料は、硬度が０．１〜２（Ｎ）及び直径がφ３以下であることを特徴としている。